(57)【要約】【課題】安価な構成で外光の影響を低減することができ、光出力が一定になるように制御することのできる照明装置を提供する。【解決手段】略円形の器具本体をその中央部を中心として回転させ、外周部に設けられている１個の明るさ検出手段を、例えば窓側と反対側に位置決めすることにより、安価な構成で外光の影響を低減することができ、光出力が一定になるように制御することができる。【選択図】図１
2010073611.tif 000002
【特許請求の範囲】
【請求項１】
光源と、前記光源を収容する器具本体と、前記器具本体に取り付けられて前記光源を覆うカバー部材と、前記光源を点灯させる点灯装置と、前記光源により照らされる被照射面の照度を検出する明るさ検出手段と、前記明るさ検出手段による検出値を受けて前記光源の光出力を制御する制御部とを備えた照明装置であって、
前記明るさ検出手段を前記器具本体の外周部に１箇所設け、前記器具本体が、当該器具本体の中央部を中心として旋回可能であることを特徴とする照明装置。
【請求項２】
前記器具本体が、当該器具本体の中央部に設けられた電源接続部を旋回軸として旋回可能であることを特徴とする請求項１記載の照明装置。
【請求項３】
前記器具本体が略円形であることを特徴とする請求項１または２記載の照明装置。
【発明の詳細な説明】
【技術分野】
【０００１】
本発明は、設置された環境の明るさを検出し、蛍光ランプの明るさを自動制御することができる照明装置に関するものである。
【背景技術】
【０００２】
従来より、会議室、オフィスなどの省電力を目的とした証明システムとして、照度センサにより周囲環境の照度を検出して、略一定の照度を保つように蛍光ランプの光出力を自動制御する照明器具が知られている。このような照明器具においては、照度センサが、窓等から入射した外光の反射光と、蛍光ランプの反射光とを受光して明るさを検出する。
【０００３】
従って、照度センサが窓際に設置されると、外光の反射光を強く受光することになり、明るいと判定されるため蛍光ランプの光出力が低減され、窓から離れた照明空間の照度が所定値に達しなくなるという問題が生じる。そこで、このような問題を解決する技術が提案されている（例えば特許文献１、２参照）。
【０００４】
特許文献１に記載の照明装置では、器具本体の離反した少なくとも２箇所に照度センサを設け、これらの照度センサのうち最も暗いエリアを検知した照度センサからの検知信号に基づいて制御する。これにより、外光等の影響を低減して、照明空間の照度が所定値に達しなくなるのを防止している。
【０００５】
また、特許文献２に記載の照明装置では、各照明器具に設ける照度センサの他に、外光の直接光を検出する外光用照度センサを分離して別途設けてある。そして、外光用照度センサからの検出値と、照明器具に取り付けられている照度センサからの検出値とを比較して、各照明器具の光出力を制御する。これにより、外光等の影響を低減して、照明空間の照度が所定値に達しなくなるのを防止している。
【特許文献１】特開平１０−３４０６１６号公報（第１図）
【特許文献２】特開平１１−２７３８７９号公報（第１図）
【発明の開示】
【発明が解決しようとする課題】
【０００６】
しかしながら、前述した特許文献１，２に記載の照明装置では、外光を判別し、外光の影響を低減することにより、光出力が一定になるように制御しているので、少なくとも２つの明るさ検出手段が必要となり、照明器具の構成が複雑になるとともに、コストアップを招くという問題があった。
【０００７】
本発明は、従来の問題を解決するためになされたもので、安価な構成で外光の影響を低減することができ、光出力が一定になるように制御することのできる照明装置を提供することを目的とする。
【課題を解決するための手段】
【０００８】
本発明の照明装置は、光源と、前記光源を収容する器具本体と、前記器具本体に取り付けられて前記光源を覆うカバー部材と、前記光源を点灯させる点灯装置と、前記光源により照らされる被照射面の照度を検出する明るさ検出手段と、前記明るさ検出手段による検出値を受けて前記光源の光出力を制御する制御部とを備えた照明装置であって、前記明るさ検出手段を前記器具本体の外周部に１箇所設け、前記器具本体が、当該器具本体の中央部を中心として旋回可能である構成を有している。
【０００９】
この構成により、略円形の器具本体をその中央部を中心として回転させ、外周部に設けられている１個の明るさ検出手段を、例えば窓側と反対側に位置決めすることにより、安価な構成で外光の影響を低減することができ、光出力が一定になるように制御することができることとなる。
【００１０】
また、本発明の照明装置は、前記器具本体が、当該器具本体の中央部に設けられた電源接続部を旋回軸として旋回可能である構成を有している。
【００１１】
この構成により、器具本体の中央部に設けられている電源接続部を旋回軸として器具本体を回転させるので、旋回軸を別途設ける必要がなく、安価な構成で器具本体を旋回可能とすることができる。
【００１２】
さらに、本発明の照明装置は、前記器具本体が、略円形である構成を有している。
【００１３】
この構成により、器具本体の外周部に設けられている１個の明るさ検出手段を、任意方向に位置決めしても、器具本体が略円形であるため設置後の見栄えを損なうことがない。
【発明の効果】
【００１４】
本発明は、略円形の器具本体をその中央部を中心として回転させ、外周部に設けられている１個の明るさ検出手段を、例えば窓側と反対側に位置決めすることにより、安価な構成で外光の影響を低減することができ、光出力が一定になるように制御することができるという効果を有する照明装置を提供することができるものである。
【発明を実施するための最良の形態】
【００１５】
以下、本発明の実施形態の照明装置について、図面を用いて説明する。
図１(Ａ)は本発明の第１実施形態にかかる照明装置を示す断面図、図１(Ｂ)は第１実施形態にかかる照明装置を示す平面図、図２は第１実施形態にかかる照明装置の構成を示すブロック図、図３(Ａ)は照明器具取付部の拡大断面図、図３(Ｂ)は図３(Ａ)中Ｂ部の拡大図、図４は照明器具の施工例を示す下から見た平面図、図５は図４の施工例を横から見た断面図である。
【００１６】
図１に示すように、この照明装置１０は、例えば天井１１等に取り付けて用いられる住宅用シーリングタイプの照明器具２０と、赤外線式のリモコン装置３０を有している。
照明器具２０は、略円板状の器具本体２１を有しており、中央部には電源接続部２２が設けられている。天井１１には、電源接続部２２に接続されて電力を供給する電源供給部１２が設けられており、電源接続部２２を電源供給部１２に接続することにより、器具本体２１が天井１１に取り付けられるとともに、電力が供給される。
【００１７】
器具本体２１には、光源である環形の蛍光ランプ２３、蛍光ランプ２３の光を下方へ反射する反射板２４、蛍光ランプ２３を点灯させる点灯装置としての点灯回路２５、リモコン装置３０からの信号を受信するリモコン受信部２６等が設けられている。器具本体２１には、下面を覆う透光性を有する樹脂製のカバー部材２７が着脱可能に取り付けられている。
【００１８】
また、器具本体２１の外周部には枠体２１ａが全周に渡って設けられており、枠体２１ａの１箇所には、照明方向（ここでは下方）に向けて開口または透明になっているセンサ収納部２１ｂが設けられている。このセンサ収納部２１ｂには、被照射範囲の照度を検出する明るさ検出手段である照度センサ２９が収納されており、蛍光ランプ２３の高さよりも高い位置に取り付けられている。従って、照度センサ２９は、カバー部材２７の外側において蛍光ランプ２３も高い位置に取り付けられることになり、蛍光ランプ２３の自発光の影響を低減して、照度検出の精度を向上させている。
【００１９】
リモコン受信部２６は、赤外線用の受光素子２６ａ、ＬＥＤの常夜灯２６ｂ等を有している。図２にも示すように、リモコン受信部２６はマイコンからなる制御部としての第１制御部２８を有しており、タイマ部２８ａおよびメモリ部２８ｂを有している。また、第１制御部２８には、常夜灯２６ｂを駆動する駆動部２６ｃおよびフォトＩＣダイオードからなる照度センサ２９が接続されている。
【００２０】
図２に示すように、点灯回路２５は、電源接続部２２から供給された交流電力の雑音を除くフィルタ２５ａ、フィルタ２５ａを介して供給された交流電力を直流電力に変換する力率改善部２５ｂ、力率改善部２５ｂが出力した直流電力を交流電力に変換して蛍光ランプ２３に供給するインバータ部２５ｃ、リモコン受信部２６の第１制御部２８からの制御信号を受ける第２制御部２５ｄ等を有している。
【００２１】
図１および図２に示すように、リモコン装置３０は、リモコン信号を発する赤外線ＬＥＤ３１、照明器具２０の操作を行う操作ボタン３２、各種設定を行うための設定ボタン３３、リモコン制御部３４等を有している。
【００２２】
操作ボタン３２は、蛍光ランプ２３の全灯、調光、常夜灯２６ｂの点灯、調光レベルの上昇、調光レベルの下降、消灯、照度一定制御機能の設定および解除等に用いられる。
設定ボタン３３は、照度目標値を設定する明るさ設定ボタンおよび被照射面の反射率の違いによる検出電圧のずれを補正する補正ボタンを有している。
【００２３】
従って、図１(Ｂ)および図２に示すように、リモコン装置３０の操作ボタン３２や設定ボタン３３を押すと、リモコン制御部３４が赤外線ＬＥＤ３１を制御して、ボタン操作に対応した赤外線信号を照明器具２０に発する。照明器具２０では、リモコン受信部２６の受光素子２６ａが赤外線信号を受信して第１制御部２８に操作内容を伝達する。第１制御部１８では、タイマ部２８ａから時間を読み取ったり、メモリ部２８ｂに記憶されている設定内容を読み取って、蛍光ランプ２３や常夜灯２６ｂの制御を行う。
蛍光ランプ２３を制御する際には、第１制御部２８から点灯回路２５の第２制御部２５ｄに指令を発し、第２制御部２５ｄが力率改善部２５ｂやインバータ部２５ｃを制御して、蛍光ランプ２３の光出力等を制御する。
【００２４】
図３に示すように、照明器具２０の電源接続部２２は円柱形状をしており、その外周面には係止爪２２ａが設けられている。係止爪２２ａは、電源接続部２２に出没可能に設けられており、常時外側に突出するようにバネ(図示省略)によって付勢されている。係止爪２２ａは、下側から上側に向かって突出量が大きくなるような傾斜面２２ｂを有しており、傾斜面２２ｂの上端には水平な係止面２２ｃが形成されている。係止爪２２ａは、電源接続部２２の周方向に等間隔で２個以上設けられている。
【００２５】
一方、器具本体２１の中央部には、電源接続部２２の大きさに対応して大き目の円形の切欠きが設けられており、切欠きの内周面に沿って全周に亘る係止部２１ｃが設けられている。係止部２１ｃは、上に向かって外側へ傾斜した傾斜面２１ｄを有し、下面２１ｅは水平になっている。また、係止部２１ｃの下側には、電源接続部２２の側面を押さえてガタツキを防止する押さえ部材２１ｆが設けられている。
【００２６】
従って、まず、天井１１の電源供給部１２に電源接続部２２を引っ掛けて取り付ける。そして、器具本体２１の中央の切欠きに電源接続部２２を合わせ、器具本体２１を押し上げる。このとき、器具本体２１の係止部２１ｃの傾斜面２１ｄと、電源接続部２２の係止爪２２ａの傾斜面２２ｂとが当接し、さらに器具本体２１を押し上げると、係止爪２２ａが電源接続部２２の内部に押し込まれて、器具本体２１が上昇する。
【００２７】
そして、器具本体２１が係止爪２２ａの係止面２２ｃの上側まで移動すると、係止爪２２ａがバネの力で押し出されて、器具本体２１の下面２１ｅを係止する。これにより、器具本体２１と電源接続部２２とが相互に取り付けられるが、係止爪２２ａは、器具本体２１の下面２１ｅと押さえ部材２１ｆとの間の空間２１ｇに収容されているので、器具本体２１は電源接続部２２を旋回軸として旋回可能な状態で支持されることになる。従って、器具本体２１を旋回させることにより、照度センサ２９を任意の方向へ位置させることができる。
【００２８】
図４には、照明装置１０を、一般住宅の天井１１に取り付けた施工例を示してある。部屋(天井１１)には、南側と東側に窓１３ａ、１３ｂが設けられている。器具本体２１を電源接続部２２に取り付けた後、器具本体２１を旋回させて、器具本体２１の枠体２１ａに収納されている照度センサ２９が、窓１３ａ、１３ｂから遠くなるように北西側に配置する。
【００２９】
これにより、図５に示すように、照度センサ２９には外光Ｌが直接入射しないので、部屋の照度を検知する際に、外光の影響を低減することができる。このとき、例えば部屋の大きさが８〜１０畳程度の場合、照度センサ２９による検知エリアＷをφ３ｍ程度とすると、窓１３ａ、１３ｂまでの距離が十分に確保されるので、望ましい。
【００３０】
以上、説明した本発明にかかる照明装置１０によれば、器具本体２１をその中央部に設けられる電源接続部２２を中心として回転させ、外周部に設けられている１個の照度センサ２９を、例えば窓１３ａ、１３ｂと反対側に位置決めすることにより、安価な構成で外光の影響を低減することができ、光出力が一定になるように制御することができることとなる。
【００３１】
また、器具本体２１の中央部に設けられている電源接続部２２を旋回軸として器具本体を回転させるので、旋回軸を別途設ける必要がなく、安価な構成で器具本体を旋回可能とすることができる。
【００３２】
また、器具本体２１の外周部に設けられている１個の照度センサ２９を、任意方向に位置決めしても、器具本体２１が略円形であるため設置後の見栄えを損なうことがない。
【００３３】
なお、本発明の照明装置は、前述した実施形態に限定されるものでなく、適宜な変形，改良等が可能である。
例えば、前述した実施形態において、光源として環形の蛍光ランプ２３を例示したが、そのほか、白熱灯や電球型蛍光等でも適用可能である。また、常夜灯２６ｂとしてＬＥＤを用いた場合を例示したが、豆電球を用いることもできる。
また、リモコン通信手段として赤外線を用いる場合を例示したが、微弱無線、特定小電力無線等を用いることもできる。さらに、リモコン装置３０を設けずに、例えば蛍光ランプ２３の光出力を一定にすることも可能である。
また、照度センサ２９としてフォトＩＣダイオードを用いた場合を例示したが、その他、例えばフォトトランジスタ、フォトダーリントントランジスタ、ＣｄＳ光導電セル等の明るさ検出素子や、太陽電池セルによる起電力を利用することもできる。
【図面の簡単な説明】
【００３４】
【図１】(Ａ)は本発明の第１実施形態にかかる照明装置を示す断面図、(Ｂ)は第１実施形態にかかる照明装置を示す平面図
【図２】第１実施形態にかかる照明装置の構成を示すブロック図
【図３】(Ａ)は照明器具取付部の拡大断面図、(Ｂ)は(Ａ)中Ｂ部の拡大図
【図４】照明器具の施工例を示す下から見た平面図
【図５】図４の施工例を横から見た断面図
【符号の説明】
【００３５】
１０  照明装置
２１  器具本体
２１ａ  枠体（外周部）
２２  電源接続部
２３  蛍光ランプ（光源）
２５  点灯回路（点灯装置）
２７  カバー部材
２８  第１制御部（制御部）
２９  照度センサ（明るさ検出手段）
【図１】
2010073611.tif 000003
【図２】
2010073611.tif 000004
【図３】
2010073611.tif 000005
【図４】
2010073611.tif 000006
【図５】
2010073611.tif 000007